(57)【特許請求の範囲】
【請求項１】
検出装置の構成部品を保持する本体ブロックと、焦点状態を検出するための検出手段と、本体ブロックに対して検出手段の位置を調整可能に保持するための検出手段支持部材を持つ検出手段位置調整機構において、
前記検出手段支持部材と前記本体ブロックとは、互に突き当てることによって前記検出手段の前記本体ブロックに対する傾き調整を行う突き当て面をそれぞれ有し、
前記本体ブロックの突き当て面は、第１の調整方向と第２の調整方向とに対してそれぞれが曲面形状に形成されると共に、前記第１の調整方向に対しては第１の曲率に、前記第２の調整方向に対しては該第１の曲率に比して小さな第２の曲率に形成されてなり、
前記検出手段支持部材の突き当て面は、前記第１の調整方向及び前記第２の調整方向のいずれもが前記第２の曲率からなる球面形状に形成されてなることを特徴とする検出手段保持機構。
【請求項２】
前記第１及び前記第２の曲率からなる突き当て面は、シリンドリカル面により構成されていることを特徴とする請求項１記載の検出手段保持機構。
【請求項３】
前記第１及び前記第２の曲率からなる突き当て面は、複数の平面により構成されていることを特徴とする請求項１記載の検出手段保持機構。
【請求項４】
前記球面形状は、前記検出手段支持部材の突き当て面、及び前記本体ブロックの突き当て面のうち、凸形状に形成されている側の面に形成されていることを特徴とする請求項１記載の検出手段保持機構。
【請求項５】
前記検出手段支持部材側の突き当て面が凸形状であり、前記本体ブロック側の突き当て面が凹形状であることを特徴とする請求項１記載の検出手段保持機構。
【請求項６】
前記検出手段支持部材の突き当て面、及び、前記本体ブロックの突き当て面のうち、凸形状側は少なくとも一つの球面形状で構成されており、凹形状側は複数の曲率半径を持った曲面により構成されていることを特徴とする請求項１記載の検出手段保持機構。
【請求項７】
前記検出手段支持部材の突き当て面、及び、前記本体ブロックの突き当て面のうち、凸形状側が２つの球面形状により、２ケ所で突き当てるように構成されていることを特徴とする請求項１記載の検出手段保持機構。
【請求項８】
前記検出手段支持部材側の突き当て面が球面形状である場合、前記球面形状の曲率半径の中心を前記検出手段の検出面と略同一としたことを特徴とする請求項１記載の検出手段保持機構。
【請求項９】
前記検出手段支持部材側の突き当て面、及び、前記本体ブロック側の突き当て面の双方に回転規制部材を設け、当該回転規制部材の当接によって前記検出手段支持部材の光軸に対する回転を規制することを特徴とする請求項１記載の検出手段保持機構。
【請求項１０】
前記本体ブロックが複数の測距視野の焦点状態を検出可能な焦点検出装置の構成部品を保持する本体ブロックであり、前記検出手段が焦点状態を検出するためのセンサーであり、前記検出手段支持部材が本体ブロックに対してセンサー位置を調整可能に保持するためのセンサー支持部材であることを特徴とする請求項１記載の検出手段保持機構。
【発明の詳細な説明】
【０００１】
【発明の属する技術分野】
本発明は、複数の測距視野を持つ焦点検出装置において各測距視野に対する検出手段の調整を容易に実現する検出手段保持機構に関するものである。
【０００２】
【従来の技術】
従来、図６にて示した特開平８−２９６５２号に示されているように、センサー１１００の本体ブロック１０００に対する位置決めは、本体ブロック１０００に設けられた一対の軸受け１０１０に対して、センサーホルダー１２００に設けた一対の軸１２１０を押し当てることで行っているものが知られている。
【０００３】
この調整機構においては、センサー１１００の調整範囲がセンサーホルダー１２００のセンサー突き当て面内での平行移動、回転移動及び軸受け方向の傾き調整を行っていた。
【０００４】
また、複数の軸に対する傾き調整を行う場合には、本体側に設けたホルダーを支持するための軸を設けた支持部材を進退可能に構成し、その支持部材の位置を調整することにより、支持部材に対して位置決めされているホルダーの面を傾斜させることで、センサー傾き調整を行うことができるように構成していた。
【０００５】
【発明が解決しようとする課題】
しかしながら、上記従来例では、特開平８−２９６５２号に示されているように、焦点検出装置の光軸に対する傾き調整が一方向のみしかできないため、検出視野の配置によってはセンサーが傾いた状態のままになってしまうことがあり、焦点検出装置の調整時に調整しきれない項目が発生することとなり、十分な性能を引き出すことが出来なくなる可能性があった。このため、測距視野を拡大する方向により、測距可能範囲の拡大に対して足かせとなっていた。
【０００６】
また、本体側に設けたホルダーを支持している支持部材を進退可能に構成している場合には、センサーの傾きだけでなく光軸方向の位置も含めたすべての軸に対する調整が可能となり、センサーチップの焦点検出装置の光軸に対する傾き調整を行うときに、センサーの光軸方向の位置が変化してしまう可能性が大きく、センサー上の像の結像状態も変化してしまうため検出精度のバラツキの原因となっていた。このため、センサーの傾き調整を行うと共に、光軸方向のセンサー位置調整も行う必要があるため、調整が困難になり調整時間の増大を招いていた。
【０００７】
そこで、本発明は、センサーの傾き調整が一方向に限らずに必要方向の調整を可能とし、センサーの傾き調整駆動のためにセンサーの光軸方向の位置が変化してしまうようなこともなく、効率的な駆動によって検出精度のバラツキが少なく高精度な調整を迅速に実施できる検出手段保持機構を提供することを目的としている。
【０００８】
【課題を解決するための手段】
本出願に係る発明の目的を実現する構成は、請求項１に記載のように、検出装置の構成部品を保持する本体ブロックと、焦点状態を検出するための検出手段と、本体ブロックに対して検出手段の位置を調整可能に保持するための検出手段支持部材を持つ検出手段位置調整機構において、前記検出手段支持部材と前記本体ブロックとは、互に突き当てることによって前記検出手段の前記本体ブロックに対する傾き調整を行う突き当て面をそれぞれ有し、前記本体ブロックの突き当て面は、第１の調整方向と第２の調整方向とに対してそれぞれが曲面形状に形成されると共に、前記第１の調整方向に対しては第１の曲率に、前記第２の調整方向に対しては該第１の曲率に比して小さな第２の曲率に形成されてなり、前記検出手段支持部材の突き当て面は、前記第１の調整方向及び前記第２の調整方向のいずれもが前記第２の曲率からなる球面形状に形成されてなることを特徴とする検出手段保持機構にある。
【０００９】
この構成によれば、複数の軸に対する傾き調整が可能になる。
【００１２】
本出願に係る発明の目的を実現する他の構成は、請求項２に記載のように、前記第１及び前記第２の曲率からなる突き当て面が、シリンドリカル面により構成されていることを特徴とする請求項１記載の検出手段保持機構にある。
【００１３】
この構成によれば、単純な受け面形状で検出手段支持部材の突き当て面を構成できる。
【００１４】
本出願に係る発明の目的を実現する他の構成は、請求項３に記載のように、前記第１及び前記第２の曲率からなる突き当て面が、複数の平面により構成されていることを特徴とする請求項１記載の検出手段保持機構にある。
【００１５】
この構成によれば、最小限の接触面積で検出手段支持部材を安定して保持できる。
【００１６】
本出願に係る発明の目的を実現する他の構成は、請求項４に記載のように、前記球面形状が、前記検出手段支持部材の突き当て面、及び前記本体ブロックの突き当て面のうち、凸形状に形成されている側の面に形成されていることを特徴とする請求項１記載の検出手段保持機構にある。
【００１７】
この構成によれば、調整時の検出手段支持部材の状態変化を最小限に抑えることができる。
【００１８】
本出願に係る発明の目的を実現する他の構成は、請求項５に記載のように、前記検出手段支持部材側の突き当て面が凸形状であり、前記本体ブロック側の突き当て面が凹形状であることを特徴とする請求項１記載の検出手段保持機構にある。
【００１９】
この構成によれば、調整軸の中心が検出手段の検出面面上と略同一になるように構成できる。
【００２０】
本出願に係る発明の目的を実現する他の構成は、請求項６に記載のように、前記検出手段支持部材の突き当て面、及び、前記本体ブロックの突き当て面のうち、凸形状側は少なくとも一つの球面形状で構成されており、凹形状側は複数の曲率半径を持った曲面により構成されていることを特徴とする請求項１記載の検出手段保持機構にある。
【００２１】
この構成によれば、検出手段の傾き調整を行う際に、本体ブロックに対して検出手段支持部材が光軸方向に対して回転しないようにすることができる。
【００２４】
本出願に係る発明の目的を実現する他の構成は、請求項７に記載のように、前記検出手段支持部材の突き当て面、及び、前記本体ブロックの突き当て面のうち、凸形状側が２つの球面形状により、２ケ所で突き当てるように構成されていることを特徴とする請求項１記載の検出手段保持機構にある。
【００２５】
この構成によれば、検出手段支持部材と本体ブロックが検出手段の傾き調整時に２本の線で接触することとなるように構成できる。
【００２６】
本出願に係る発明の目的を実現する他の構成は、請求項８に記載のように、前記検出手段支持部材側の突き当て面が球面形状である場合、前記球面形状の曲率半径の中心を前記検出手段の検出面と略同一としたことを特徴とする請求項１記載の検出手段保持機構にある。
【００２７】
この構成によれば、検出手段の傾き調整前後で焦点検出装置の光路長の変化を低減し、光路方向の調整を不要にすることができる。
【００２８】
本出願に係る発明の目的を実現する他の構成は、請求項９に記載のように、前記検出手段支持部材側の突き当て面、及び、前記本体ブロック側の突き当て面の双方に回転規制部材を設け、当該回転規制部材の当接によって前記検出手段支持部材の光軸に対する回転を規制することを特徴とする請求項１記載の検出手段保持機構にある。
【００２９】
この構成によれば、検出手段支持部材回転規制部と本体ブロック側回転規制部が接触することによって、位置調整時における検出手段支持部材が必要以上に回転できないように回転を規制して、再結像レンズ等の器材との接触を避け、迅速な調整を実施することができる。
【００３２】
【発明の実施の形態】
以下、本発明の実施の形態について図を参照して説明する。図１は本発明の実施の形態に係る焦点検出装置のセンサー調整部の断面図である。図２は図１に示すセンサー調整部の別の方向から見た断面図である。図３は図２に示すセンサー調整部のセンサー角度調整中の断面図である。図４は図１のセンサー調整部を含む焦点検出装置の分解斜視図である。図５は図１に示すセンサー調整部を含む焦点検出ユニットの赤外カットフィルター装着図である。
【００３３】
図１において、１０は測距光束を分離し不要な光束を除去するためのマスクの役割をする視野マスクであり、２０は一次結像面に形成されるべき像をセンサーに導く分割フィールドレンズである。３０は中央測距視野の光束と周辺測距視野の光束を分離し、各測距視野に対応した有効光束以外の光束がセンサーに入射するのを防止するための遮光板であり、４０は焦点検出ユニットに入射した焦点検出光束をセンサーに向けて折り曲げるための表面鏡のミラーであり、５０は赤外光を除去するための赤外カットフィルターである。
【００３４】
６０は焦点検出光束を分離するための多孔絞りであり、７０はセンサー上に像を結像させるための対になった複数組のレンズを持つ光学部材であるところの再結像レンズであり、一対の位置決め用のダボを持っている。
【００３５】
８０はセンサーを保持するためのセンサーホルダーであり、１００はセンサーの傾きの調整を行うためのセンサー支持部材であり、９０は焦点検出動作を行うための像を検出するセンサーで対になったラインセンサーが複数組形成されている。３００はセンサー９０が実装されている回路基板である。１１０は焦点検出ユニットとカメラの焦点検出ユニット取付部の隙間を塞ぐ遮光シートであり、１２０は焦点検出ユニットを構成する各構成部品を保持し、外部の光を遮光する保持部材であるところの本体ブロックである。
【００３６】
次に以上の構成において各構成部品の保持構造について説明する。本体ブロック１２０には、視野マスク１０、分割フィールドレンズ２０、遮光板３０、ミラー４０、赤外カットフィルター５０、多孔絞り６０、再結像レンズ７０、センサーホルダー８０、センサー支持部材１００、センサー９０、遮光シート１１０が取り付けられており、視野マスク１０は嵌合軸と嵌合穴により位置決めされ、本体ブロック１２０に対して固定される。分割フィールドレンズ２０は、本体ブロック１２０に対して接着され、遮光板３０、ミラー４０、赤外カットフィルター５０は本体ブロック１２０に位置決めされたあと接着固定される。
【００３７】
多孔絞り６０は、多孔絞り６０に設けられている穴と長穴形状により再結像レンズ７０に設けられている複数の位置決めダボを用いて再結像レンズ７０に対して位置決め固定されていて、再結像レンズ７０は本体ブロック１２０に設けられている位置決め用の穴と再結像レンズの位置決めダボにより位置決め固定されている。再結像レンズ７０と本体ブロック１２０は多孔絞り６０を挟み込む形で固定され、多孔絞り６０が本体ブロック１２０及び再結像レンズ７０に対して位置ずれしないようになっている。
【００３８】
センサー９０は回路基板３００に実装された状態でセンサーホルダー８０に対して予め接着固定されていて、センサー９０とセンサーホルダー８０が一体化したセンサーユニット２００として本体ブロック１２０に対する傾き調整が行われる。
【００３９】
センサーユニット２００はセンサー支持部材１００を介して本体ブロック１２０に対して保持されていて、本体ブロック１２０とセンサー支持部材１００の間で焦点検出装置に対するセンサーの傾き調整が行われ、センサーユニットはセンサー支持部材１００に各種の調整が終わった後で接着固定される。
【００４０】
センサー支持部材１００は、センサー支持部材に設けられている少なくとも１個の球形状の位置決め調整部で、本体ブロック１２０に対して位置決めされている。このためセンサー支持部材１００は、本体ブロック１２０に対する複数の軸の傾き調整を可能にしている。遮光シート１１０は、視野マスク１０と本体ブロック１２０に挟まれ、視野マスク１０に設けられた遮光シート位置決め形状１４により保持されている。
【００４１】
次に図１、図２、図３を用いてセンサー調整部の構成について説明する。図１、図２、図３において、８０はセンサーホルダーで、９０はセンサー、９１はセンサーチップである。センサーホルダー８０とセンサー９０は予め接着固定されていて、一体となった状態でセンサー９０の位置、傾き調整が行われる。このように調整することによって、センサーに対して工具の保持形状を付加することが可能となる。
【００４２】
１００はセンサー支持部材で、センサー支持部材１００の本体ブロック１２０の突き当て面に対応する部分に、図２のような本体ブロック突き当て形状１０１を付加している。
【００４３】
１２０は本体ブロックであり、本体ブロック１２０にはセンサー支持部材１００の本体ブロック突き当て形状１０１に対応した部分に、センサー支持部材支持形状１５１を設けている。
【００４４】
本体ブロック突き当て形状１０１は、Ｒ１の半径を持った球形状の一部を切り取った形状となっていて、本体ブロック突き当て形状１０１のＲ１の球形状の中心をセンサー９０のセンサーチップ９１と略同一に構成するようにしている。
【００４５】
センサー支持部材支持形状１５１は本体ブロック突き当て形状１０１（Ｒ１の半径の球形状）をＲ２＞Ｒ１となるＲ２の半径で移動させ、除去した凹形状となっている。
【００４６】
このため、調整時にセンサー支持部材１００が本体ブロック１２０に対して移動する量はＲ１方向に比べてＲ２方向の移動量の方が大きくなるので、センサー支持部材１００に設けられている有効光束を通すための開口部１０３は、Ｒ１に比較してＲ２の方の開口幅を大きくしている。
【００４７】
１０２はセンサー支持部材１００のセンサー支持部材回転規制部であり、１５２は本体ブロック１２０のセンサー支持部材回転規制部である。
【００４８】
図３に示すように、センサー支持部材回転規制部１０２とセンサー支持部材回転規制部１５２が接触することにより、センサー支持部材１００が必要以上に回転できないようになっている。
【００４９】
このように構成することで、本体ブロック１２０とセンサー支持部材１００の間に再結像レンズ７０が存在していても、センサー支持部材１００が再結像レンズ７０に触れないようにすることが可能となる。
【００５０】
ここで、センサーの調整は、センサー９０とセンサーホルダー８０を接着した状態でセンサーホルダー８０に設けた駆動部８１，８２に対して不図示の駆動部材から駆動力を加え、センサー９０の位置及び傾きの調整を行うのであるが、センサー支持部材支持形状１５１が調整方向によって異なっている。
【００５１】
このためセンサー支持部材支持形状１５１の形状のうちＲ２方向の駆動を補助するためのセンサー支持部材駆動補助形状１０４をセンサー支持部材１００に設けて、センサー支持部材１００を直接駆動できるように構成し、センサー調整を容易に行うことができるようにしている。
【００５２】
図４は本構成を含む焦点検出装置の分解斜視図であり、図５は焦点検出ユニットの赤外カットフィルター装着図であり、本構成を含む焦点検出装置の各構成部材の関係について、詳細に以下に示す。
【００５３】
本体ブロック１２０には、各種焦点検出ユニットの位置決めを行い、固定するための各種位置決め形状、固定形状が備えられている。図５に示す赤外カットフィルター５０なども、本体ブロック１２０の赤外カットフィルター位置決め固定部１２１に対して装着されることにより、本体ブロック１２０に対して位置決めされていて、赤外カットフィルター位置決め固定部１２１の周囲に設けられている複数の赤外カットフィルター接着部１２２にて、赤外カットフィルター５０は本体ブロック１２０に対して接着固定されている。
【００５４】
遮光板３０は、遮光板３０に設けられている遮光板位置決め固定部３１と本体ブロック１２０に設けられている遮光板位置決め固定部１２３により、本体ブロック１２０に対して位置決めされて、本体ブロック１２０の内部に装着され、分割フィールドレンズ２０を通過した各測距視野の有効光束以外の不要な光束が、他の測距視野のセンサーに対して入射することを防止する壁３２、及び壁３３を持っており、壁３２と壁３３の間には測距光束を通過させるための開口部３４が形成されている。分割フィールドレンズ２０は各種調整が行われた後、本体ブロック１２０に設けられている分割フィールドレンズ固定部１２４により、本体ブロック１２０に対して接着固定されている。
【００５５】
視野マスク１０は、視野マスク１０に設けられている一対の視野マスク位置決め用嵌合軸１１と、本体ブロック１２０に設けられている視野マスク１０の取り付け面内の平面移動を規制する視野マスク位置決め嵌合穴１２５と、視野マスク位置決め嵌合長穴１２６からなる一対の嵌合穴により、本体ブロック１２０に対して位置決めされて、視野マスク１０に設けられている一対の視野マスク固定用弾性爪部１２を、本体ブロック１２０に設けられている一対の視野マスク固定用穴部１２７に対して係合させることにより、視野マスク１０は本体ブロック１２０に対して固定されており、又、視野マスク１０には、焦点検出ユニットをカメラに取り付けた後は、視野マスク１０に設けられている一対の視野マスク固定用弾性爪部１２と、本体ブロック１２０に設けられている一対の視野マスク固定用穴部１２７の係合が外れた場合においても、視野マスク１０が本体ブロック１２０から浮き上がることがないようにするために、視野マスク１０には視野マスク浮き防止部１３が設けられている。この視野マスク浮き防止部１３は、カメラのミラーボックスと焦点検出装置の隙間を減少させる役目も持っている。
【００５６】
遮光シート１１０は、遮光シートに設けられている遮光シート位置決め用の一対の穴１１１と、視野マスク１０に設けられている一対の遮光シート位置決め用形状１４により位置決めされて、視野マスク１０と本体ブロック１２０に挟まれることで、本体ブロック１２０に対して固定されている。
【００５７】
ミラー４０は、本体ブロック１２０に設けられているミラー位置決め固定部１３４により位置決めされて、本体ブロック１２０に接着固定されている。ミラー４０の表面には各測距視野に対する不要な光束を遮光するためのマスク形状を持つ遮光マスク部４１が付加されていて、焦点検出光束をセンサーに対して折り曲げる際に、遮光板３０とミラー４０の隙間を通過する不要な光束を遮光し、周辺測距視野のラインセンサーのセンサー列方向に対して略平行に形成されていて、測距光束の光束分割方向には遮光パターンが存在していないので、パターンエッジ部での反射によるゴーストが発生しなくなっている。
【００５８】
再結像レンズ７０は、一対の再結像レンズの嵌合軸７１により、本体ブロック１２０の再結像レンズ位置決め角穴１３１と再結像レンズ位置決め長穴１３２からなる一対の嵌合穴で位置決めされていて、本体ブロック１２０に対して接着固定されている。
【００５９】
多孔絞り６０は、再結像レンズ７０に設けられている再結像レンズの嵌合軸７１に対応している位置決め部６１により、再結像レンズ７０に対して位置決めされていて、再結像レンズ７０と本体ブロック１２０に挟まれることで、本体ブロック１２０に対して保持されている。
【００６０】
センサー支持部材１００は、センサー支持部材１００に設けられている位置決め調整するための一対の同一中心軸を持つ球形状のセンサー支持部材の本体ブロック突き当て形状１０１と、本体ブロック１２０に設けられているＲ１，Ｒ２の複数の曲率により構成されるセンサー支持部材支持形状１５１により、本体ブロックのセンサー支持部材支持形状１５１の曲率Ｒ２と、センサー支持部材の本体ブロック突き当て形状１０１の曲率Ｒ１を中心として揺動可能に位置決めされることによって、複数の軸に対する傾き調整が可能であり、センサー傾き調整など各種調整が行われた後に、本体ブロック１２０に対して接着固定されている。
【００６１】
センサー９０は、センサーホルダー８０に対して予め接着固定しておくことにより、センサーホルダー８０とセンサー９０が一体になったセンサーユニット２００となる。
【００６２】
このセンサーユニット２００は、本体ブロック１２０に対してセンサー支持部材１００を介して保持し、センサー傾き調整及び位置調整等の各種調整が行われた後、センサー支持部材１００に対して接着固定されている。センサーホルダー８０には、センサー支持部材１００の接着面に、接着剤を導くための溝が形成されている。
【００６３】
このように、本実施の形態によれば、焦点検出装置におけるセンサー調整について示しているが、その他の機構に適応しても良いことは言うまでもない。
【００６４】
【発明の効果】
以上説明したように、請求項１に記載の発明によれば、検出装置の構成部品を保持する本体ブロックと、焦点状態を検出するための検出手段と、本体ブロックに対して検出手段の位置を調整可能に保持するための検出手段支持部材を持つ検出手段位置調整機構において、検出手段支持部材と本体ブロックとは、互に突き当てることによって検出手段の本体ブロックに対する傾き調整を行う突き当て面をそれぞれ有し、本体ブロックの突き当て面は第１の調整方向に対して第１の曲率と第２の調整方向に対して該第１の曲率に比して小さな第２の曲率とからなる曲面形状に形成され、検出手段支持部材の突き当て面は第１の調整方向及び第２の調整方向のいずれもが第２の曲率からなる球面形状に形成されてなることにより、検出精度のバラツキが少なく、複数の軸に対する傾き調整が可能になるという効果がある。
【００６６】
更に、請求項２に記載の発明によれば、第１及び第２の曲率からなる突き当て面が、シリンドリカル面により構成されていることにより、単純な受け面形状で検出手段支持部材の突き当て面を構成し、突き当て部の摩擦力を低減すると共に、検出手段の安定した保持を可能にするという効果がある。
【００６７】
更に、請求項３に記載の発明によれば、第１及び第２の曲率からなる突き当て面が、複数の平面により構成されていることにより、最小限の接触面積で検出手段支持部材を安定して保持することが可能となり、調整時の摩擦力を低減させる効果がある。
【００６８】
更に、請求項４に記載の発明によれば、球面形状が、検出手段支持部材の突き当て面、及び本体ブロックの突き当て面のうち、凸形状に形成されている側の面に形成されていることにより、調整時の検出手段支持部材の状態変化を最小限に抑えることにより、検出手段の検出状態を安定させる効果がある。
【００６９】
更に、請求項５に記載の発明によれば、検出手段支持部材側の突き当て面が凸形状であり、本体ブロック側の突き当て面が凹形状であることにより、傾き調整の調整軸を検出手段の検出面と略同一にすることが可能となり、検出手段の傾き調整前後で焦点検出装置の光軸に対する位置が移動しないようにすることができる効果がある。
【００７０】
更に、請求項６に記載の発明によれば、検出手段支持部材の突き当て面、及び、本体ブロックの突き当て面のうち、凸形状側は少なくとも一つの球面形状で構成されており、凹形状側は複数の曲率半径を持った曲面により構成されていることにより、焦点検出装置の構造部材である本体ブロックに対する検出手段支持部材の光軸方向の角度を一定に保ちつつ、複数の軸に対する検出手段の傾き調整が可能になる効果がある。
【００７２】
更に、請求項７に記載の発明によれば、検出手段支持部材の突き当て面、及び、本体ブロックの突き当て面のうち、凸形状側が２つの球面形状により、２ケ所で突き当てるように構成されているので、複数の方向への傾き調整を行う際の検出手段支持部材と本体ブロック間の接触面積を低減することが可能となり、両者の間に発生する摩擦力を低減させる効果がある。
【００７３】
更に、請求項８に記載の発明によれば、検出手段支持部材側の突き当て面が球面形状である場合、前記球面形状の曲率半径の中心を前記検出手段の検出面と略同一としたことにより、センサー面の傾き調整を可能にすると共に、光軸方向のズレを低減することによって、焦点検出装置の像検出状態を安定させる効果がある。
【００７４】
更に、請求項９に記載の発明によれば、検出手段支持部材側の突き当て面、及び、本体ブロック側の突き当て面の双方に回転規制部材を設け、当該回転規制部材の当接によって検出手段支持部材の光軸に対する回転を規制することにより、検出手段支持部材の可動範囲を規制し、再結像レンズ等の他の構成部材と接触しないようにする効果がある。
【図面の簡単な説明】
【図１】本発明の実施の形態に係る焦点検出装置のセンサー調整部の断面図である。
【図２】図１に示すセンサー調整部の別の方向から見た断面図である。
【図３】図２に示すセンサー調整部のセンサー角度調整中の断面図である。
【図４】図１に示すセンサー調整部を含む焦点検出装置の分解斜視図である。
【図５】図１に示すセンサー調整部を含む焦点検出ユニットの赤外カットフィルター装着図である。
【図６】従来のセンサー保持機構の断面図である。
【符号の説明】
１０  視野マスク
１１  視野マスク位置決め用嵌合軸
１２  視野マスク固定用弾性爪部
１３  視野マスク浮き防止部
１４  遮光シート位置決め用形状
２０  分割フィールドレンズ
３０  遮光板
３１  遮光板位置決め固定部
３２，３３  壁
３４  開口部
４０  ミラー
４１  遮光マスク部
５０  赤外カットフィルター
６０  多孔絞り
７０  再結像レンズ
７１  嵌合軸
８０  センサーホルダー
９０  センサー
９１  センサーチップ
１００  センサー支持部材
１０１  本体ブロック突き当て形状
１０２  センサー支持部材回転規制部
１０３  開口部
１０４  センサー支持部材駆動補助形状
１１０  遮光シート
１１１  遮光シート位置決め用穴
１２０  本体ブロック
１２１  赤外カットフィルター位置決め固定部
１２２  赤外カットフィルター接着部
１２３  遮光板位置決め固定部
１２４  分割フィールドレンズ固定部
１２５  視野マスク位置決め嵌合穴
１２６  視野マスク位置決め嵌合長穴
１２７  視野マスク固定用穴部
１３１  再結像レンズ位置決め角穴
１３２  再結像レンズ位置決め長穴
１３４  ミラー位置決め固定部
１５１  センサー支持部材支持形状
１５２  センサー支持部材回転規制部
３００  回路基板
【図１】
0004250235.tif 000002
【図２】
0004250235.tif 000003
【図３】
0004250235.tif 000004
【図４】
0004250235.tif 000005
【図５】
0004250235.tif 000006
【図６】
0004250235.tif 000007